(57)【要約】      （修正有）【課題】畑に植えたままの茎から枝豆だけを直接もぎ取る枝豆収獲機において、機体の植え付け地面に対する高さを昇降調整しうるように構成した枝豆収穫機を提供する。【解決手段】植えてある植付枝豆１の茎２から枝豆をもぎ取る枝豆もぎ取り装置４を、植付枝豆１の植付地面に対して走行移動する機体５に設けた枝豆収穫機において、前記機体５をトラクタＡＴの側方に浮上状態に並設し、トラクタＡＴに設けた昇降装置に前記機体５を連結し前記機体５を昇降自在に設けて、トラクタＡＴの運転席に設けた前記昇降装置の操作部の操作により前記機体５をトラクタＡＴに対して昇降させて機体５の植付地面に対する高さを昇降調整し得るように構成したものである。【選択図】図１
2006254719.tif 000002
【特許請求の範囲】
【請求項１】
植えてある植付枝豆の茎から枝豆をもぎ取る枝豆もぎ取り装置を、植付枝豆の植付地面に対して走行移動する機体に設けた枝豆収穫機において、前記機体をトラクタの側方に浮上状態に並設し、トラクタに設けた昇降装置に前記機体を連結し前記機体を昇降自在に設けて、トラクタの運転席に設けた前記昇降装置の操作部の操作により前記機体をトラクタに対して昇降させて機体の植付地面に対する高さを昇降調整し得るように構成したことを特徴とする枝豆収穫機。
【請求項２】
前記植付枝豆の茎を挟んで対向し得るように回転部を対向配設し、この回転部を回転させた前記機体を走行移動させて前記植付枝豆を前記回転部間に導入することで、前記回転部のもぎ取り部によって枝豆を茎からもぎ取るように前記枝豆もぎ取り装置を構成し、この枝豆もぎ取り装置の前記対向回転部間の植付枝豆導入口側に、少なくともこの対向回転部間に導入される若しくは導入された植付枝豆をこの導入方向に引き寄せる引き寄せ力を付与する引き寄せ回転部から成る引き寄せ導入装置を設けたことを特徴とする請求項１記載の枝豆収穫機。
【請求項３】
前記機体の先端部左右に前記植付地面を滑走する滑走部を設け、この各滑走部の先端部には前記植付地面を削り取る削り縁を設けると共にこの削り取った土を夫々側部外方へ誘導する土誘導壁を立設して、機体を走行移動させると前記植付地面の植付枝豆左右の土が削り取られて左右外方へ押し分けられる土除去用滑走装置を設け、この土除去用滑走装置の前記滑走部間の前記削り縁によっては削り取られない植付枝豆の根本間近の地面を振り払い除去する振り払い移動部から成る土除去用振り払い装置を前記枝豆もぎ取り装置の前方に設けて、前記機体に設けた前記枝豆もぎ取り装置を、前記除去した土分だけ低い位置で植付枝豆に対して走行移動し得るように構成したことを特徴とする請求項１，２のいずれか１項に記載の枝豆収穫機。
【請求項４】
前記植付枝豆の上部の茎や葉などを切断除去する茎葉除去装置を前記枝豆もぎ取り装置の前方に設けて、前記機体を走行移動させて枝豆もぎ取り装置により前記植付枝豆の茎から枝豆をもぎ取る前に前記茎葉除去装置により植付枝豆の上部の茎や葉などを切断除去するように構成したことを特徴とする請求項１〜３のいずれか１項に記載の枝豆収穫機。
【発明の詳細な説明】
【技術分野】
【０００１】
本発明は、枝豆収穫機に関するものである。
【背景技術】
【０００２】
例えば畑に植えられる枝豆を茎ごと抜き取り、茎から枝豆を手でもぎ取る作業は大変である。
【０００３】
そこで、本出願人は、この手作業による重労働を解消すべく、特許第２８８４０２４号、特許第３４８２３９２号、特許第３５１１４９０号により畑に植えたままの茎から枝豆だけを直接もぎ取ることができる枝豆収穫機を提案している。
【０００４】
【特許文献１】特許第２８８４０２４号公報
【特許文献２】特許第３４８２３９２号公報
【特許文献３】特許第３５１１４９０号公報
【発明の開示】
【発明が解決しようとする課題】
【０００５】
本出願人は、この枝豆収穫機について更なる研究開発を進め、より一層商品価値に秀れ画期的な枝豆収穫機を完成させた。
【課題を解決するための手段】
【０００６】
添付図面を参照して本発明の要旨を説明する。
【０００７】
植えてある植付枝豆１の茎２から枝豆３をもぎ取る枝豆もぎ取り装置４を、植付枝豆１の植付地面に対して走行移動する機体５に設けた枝豆収穫機において、前記機体５をトラクタＡＴの側方に浮上状態に並設し、トラクタＡＴに設けた昇降装置51に前記機体５を連結し前記機体５を昇降自在に設けて、トラクタＡＴの運転席に設けた前記昇降装置51の操作部の操作により前記機体５をトラクタＡＴに対して昇降させて機体５の植付地面に対する高さを昇降調整し得るように構成したことを特徴とする枝豆収穫機に係るものである。
【０００８】
また、前記植付枝豆１の茎２を挟んで対向し得るように回転部６を対向配設し、この回転部６を回転させた前記機体５を走行移動させて前記植付枝豆１を前記回転部６間に導入することで、前記回転部６のもぎ取り部７によって枝豆３を茎２からもぎ取るように前記枝豆もぎ取り装置４を構成し、この枝豆もぎ取り装置４の前記対向回転部６間の植付枝豆導入口側に、少なくともこの対向回転部６間に導入される若しくは導入された植付枝豆１をこの導入方向に引き寄せる引き寄せ力を付与する引き寄せ回転部８から成る引き寄せ導入装置９を設けたことを特徴とする請求項１記載の枝豆収穫機に係るものである。
【０００９】
また、前記機体５の先端部左右に前記植付地面を滑走する滑走部12を設け、この各滑走部12の先端部には前記植付地面を削り取る削り縁13を設けると共にこの削り取った土を夫々側部外方へ誘導する土誘導壁14を立設して、機体５を走行移動させると前記植付地面の植付枝豆１左右の土が削り取られて左右外方へ押し分けられる土除去用滑走装置15を設け、この土除去用滑走装置15の前記滑走部12間の前記削り縁13によっては削り取られない植付枝豆１の根本間近の地面を振り払い除去する振り払い移動部16から成る土除去用振り払い装置17を前記枝豆もぎ取り装置４の前方に設けて、前記機体５に設けた前記枝豆もぎ取り装置４を、前記除去した土分だけ低い位置で植付枝豆１に対して走行移動し得るように構成したことを特徴とする請求項１，２のいずれか１項に記載の枝豆収穫機に係るものである。
【００１０】
また、前記植付枝豆１の上部の茎２や葉などを切断除去する茎葉除去装置18を前記枝豆もぎ取り装置４の前方に設けて、前記機体５を走行移動させて枝豆もぎ取り装置４により前記植付枝豆１の茎２から枝豆３をもぎ取る前に前記茎葉除去装置18により植付枝豆１の上部の茎２や葉などを切断除去するように構成したことを特徴とする請求項１〜３のいずれか１項に記載の枝豆収穫機に係るものである。
【発明の効果】
【００１１】
本発明は上述のように構成したから、枝豆もぎ取り装置の機能を最大限に発揮させて枝豆のもぎ取り作業がより一層良好に行なわれることになり、しかも、トラクタの動力を利用した良好な枝豆のもぎ取り作業が行なわれることになるなど従来にない作用効果を発揮する画期的な枝豆収穫機となる。
【発明を実施するための最良の形態】
【００１２】
好適と考える本発明の実施形態（発明をどのように実施するか）を、図面に基づいて本発明の作用を示して簡単に説明する。
【００１３】
本発明は、トラクタＡＴを走行させることで機体５を走行移動させて植えてある植付枝豆１の茎２から枝豆３を枝豆もぎ取り装置４でもぎ取ることになる。
【００１４】
ところで、本発明は、機体５をトラクタＡＴの側方に浮上状態に並設し、トラクタＡＴに設けた昇降装置51に機体５を連結し機体５を昇降自在に設けて、トラクタＡＴの運転席に設けた昇降装置51の操作部の操作により機体５をトラクタＡＴに対して昇降させて機体５の植付地面に対する高さを昇降調整し得るように構成しており、この構成は、植えてある植付枝豆１の茎２から枝豆３を直接もぎ取る枝豆収穫機において、より一層枝豆３の良好なもぎ取りを達成することに貢献する。
【００１５】
即ち、畑に植えてある植付枝豆１の茎２や枝の高さや広がり方など、植付枝豆１の状態や畑の状態（畝の高さや畝間の凹溝の深さが畑によって異なる状態）などにより、植付地面に対する枝豆３の高さは種々異なり常に条件が一定であるわけではなく、よって、枝豆もぎ取り装置４（もぎ取り部位）をなるべく低い位置（植付地面に近い位置）に配置したいという要求がある。
【００１６】
ところが、この枝豆もぎ取り装置４（機体５）を低い位置に配置した場合、前述した条件と合わず、枝豆もぎ取り装置４（機体５）が低過ぎた場合、該枝豆もぎ取り装置４が例えば植付地面に当接すると該植付地面の土（植付枝豆１左右の土）を拾ってしまい、この土が枝豆もぎ取り装置４内に入り込むことで故障したり、周囲へ土が飛散してしまうなどの問題が生じてしまう（とは言え、この枝豆もぎ取り装置４を高い位置に配置していたのでは枝豆３がもぎ取られない部分が生じてしまう。）。また、枝豆もぎ取り装置４（機体５）を低い位置に配置固定してしまうと、もぎ取り作業時以外の移動時に走行の邪魔となってしまう場合がある。
【００１７】
この点、本発明は、前述した昇降装置51により、確実にその場や状況にあった高さ位置に枝豆もぎ取り装置４（機体５）を配することができることになるから、常に枝豆もぎ取り装置４が通過する位置は枝豆を良好にもぎ取れる最良の位置となり、よって、この構成から、植付枝豆１の低い位置（植付地面に近い位置）になる枝豆３を確実且つ良好にもぎ取ることができ、しかも、機体５を上昇させることで、もぎ取り作業時以外の移動時に走行の邪魔となってしまうこともなく良好な走行が行なえることになる。
【００１８】
また、植付枝豆１の茎２を挟んで対向し得るように回転部６を対向配設し、この回転部６を回転させた前記機体５を走行移動させて前記植付枝豆１を前記回転部６間に導入することで、前記回転部６のもぎ取り部７によって枝豆３を茎２からもぎ取るように前記枝豆もぎ取り装置４を構成し、この枝豆もぎ取り装置４の前記対向回転部６間の植付枝豆導入口側に、少なくともこの対向回転部６間に導入される若しくは導入された植付枝豆１をこの導入方向に引き寄せる引き寄せ力を付与する引き寄せ回転部８から成る引き寄せ導入装置９を設けた場合には、植えてある植付枝豆１の茎２から枝豆３を直接もぎ取る枝豆収穫機において、枝豆３の良好なもぎ取りを達成することに貢献する。
【００１９】
即ち、畑に植えてある植付枝豆１は、常に整然とした状態で生えているわけではなく、例えば枝豆３がなる枝は走行移動する機体５の前後方向だけでなく左右方向に広がっていたり、植付枝豆１自体が傾いていたり（倒れていたり）、走行移動する機体５により該機体５の進行方向へ押し倒されたり（植付枝豆１が枝豆もぎ取り装置４に導入される際若しくは導入後の枝豆３のもぎ取りを開始する際に植付枝豆１の導入反対方向に逃げ力が生じたり）、或いは、枝豆３が茎２の低いところになっている場合といった、植付枝豆１の状態や畑の状態（畝の高さや畝間の凹溝の深さが畑によって異なる）などにより、常に枝豆もぎ取り装置４でもぎ取られ易い状態であるわけではない。従って、この状態で機体５を走行移動させて枝豆もぎ取り装置４で枝豆３をもぎ取ろうとしても該枝豆もぎ取り装置４へ植付枝豆１が良好に導入されない場合が生じ、よって、枝豆もぎ取り装置４がもぎ取らずにそのまま通過してしまうなど枝豆３の取り残しが生じてしまう（枝豆もぎ取り装置４は、植付枝豆１が所定の状態（例えば茎２が地面に対して垂直に立った状態）の際、良好に枝豆がもぎ取られるように設計される。）。尚、これに対して枝豆もぎ取り装置４に係る対向回転部６を移動自在の構造にすることなども考えられるが、構造が複雑となりコスト面及び量産面において問題が生じてしまい現実的ではない。
【００２０】
この点、枝豆もぎ取り装置４の対向回転部６間の植付枝豆導入口側に引き寄せ導入装置９を具備することで、植付枝豆１が前述した枝豆もぎ取り装置４でもぎ取りにくい状態であっても、該植付枝豆１を確実に引き寄せて（例えば広がったり倒れたりしている茎２や枝が束ねられた状態で）回動部６間へ導入することができる。
【００２１】
従って、常に植付枝豆１を枝豆もぎ取り装置４が良好に機能する状態にすることができるから、枝豆もぎ取り装置４の機能を最大限に発揮させることができて良好な枝豆のもぎ取りが行なわれることになる。
【００２２】
また、この引き寄せ導入装置９で植付枝豆１を引き寄せることで、トラクタＡＴ（機体５）の走行移動に対する抵抗が減少することになり、よって、この引き寄せ導入装置９がトラクタＡＴ（機体５）の走行を助力することにもなる。
【００２３】
また、機体５の先端部左右に植付地面を滑走する滑走部12を設け、この各滑走部12の先端部には植付地面を削り取る削り縁13を設けると共にこの削り取った土を夫々側部外方へ誘導する土誘導壁14を立設して、機体５を走行移動させると植付地面の植付枝豆１左右の土が削り取られて左右外方へ押し分けられる土除去用滑走装置15を設け、この土除去用滑走装置15の滑走部12間の削り縁13によっては削りとられない植付枝豆１の根本間近の地面を振り払い除去する振り払い移動部16から成る土除去用振り払い装置17を枝豆もぎ取り装置４の前方に設けて、機体５に設けた枝豆もぎ取り装置４を、除去した土分だけ低い位置で植付枝豆１に対して走行移動し得るように構成した場合には、植えてある植付枝豆１の茎２から枝豆３を直接もぎ取る枝豆収穫機において、より一層枝豆３の良好なもぎ取りを達成することに貢献する。
【００２４】
即ち、土除去用滑走装置15及び土除去用振り払い装置17により、確実に植付地面の植付枝豆１左右の土が削り取られて左右外方へ押し分けるとともに、この土除去用滑走装置15の滑走部12間の削り縁13によっては削りとられない植付枝豆１の根本間近の地面が振り払い除去されることになるから、枝豆もぎ取り装置４をどの低い位置で植付枝豆１に対して走行移動させても常に枝豆もぎ取り装置４が通過する位置は土除去用滑走装置15及び土除去用振り払い装置17により土が除去されることになり、枝豆もぎ取り装置４で植付地面の土を拾ってしまうようなことはなく、よって、この構成から、植付枝豆１の低い位置（植付地面に近い位置）になる枝豆３を確実且つ良好にもぎ取ることができることになり、しかも、この構成は前述した昇降装置51による機体５の昇降による効果も伴い良好に発揮することになる。
【００２５】
また、機体５の先端部左右に植付地面を滑走する滑走部12を設けることにより機体５の走行移動が安定することになり、しかも、この滑走部12に土除去用滑走装置15及び土除去用振り払い装置17を設けることにより、常に機体５を水平な状態で走行移動させることができることになるから、地面の状態によって機体５が斜めを向いたりすることがなく、常に枝豆もぎ取り装置４が良好に機能する状態が得られることになる（枝豆もぎ取り装置４は、機体５が水平状態の際、枝豆３が良好にもぎ取られるように設計される。）。
【００２６】
また、植付枝豆１の上部の茎２や葉を切断除去する茎葉除去装置18を枝豆もぎ取り装置４の前方に設けて、機体５を走行移動させて枝豆もぎ取り装置４により植付枝豆１の茎２から枝豆３をもぎ取る前に茎葉除去装置18により植付枝豆１の上部の茎を切断除去するように構成した場合には、この構成は、植えてある植付枝豆１の茎２から枝豆３を直接もぎ取る枝豆収穫機において、より一層枝豆３の良好なもぎ取りを達成することに貢献する。
【００２７】
即ち、前述したように畑に植えてある植付枝豆１の状態や畑の状態（畝の高さや畝間の凹溝の深さが畑によって異なる）などにより、常に機体５に対する植付枝豆１の高さは一定しているわけではない。従って、この状態で機体５を走行移動させて枝豆もぎ取り装置４で枝豆３をもぎ取ろうとしても、走行移動する機体５によって該機体５の進行方向へ押し倒されたりして、該枝豆もぎ取り装置４へ植付枝豆１が良好に導入されない場合が生じ、よって、枝豆もぎ取り装置４がもぎ取らずにそのまま通過してしまうなど枝豆３の取り残しが生じてしまう（枝豆もぎ取り装置４は、植付枝豆１が所定の状態（茎２が地面に対して垂直に立った状態）の際、最も良好に枝豆がもぎ取られるように設計される。）。
【００２８】
また、枝豆もぎ取り装置４へ大量の葉が入り込むことで、枝豆もぎ取り装置４による取り残しが生じてしまう問題があり、その他にも、葉が詰まって枝豆もぎ取り装置４が故障するという問題や、機体５の走行移動の大きな抵抗となる問題や、枝豆もぎ取り装置４における枝豆３のもぎ取り時に一緒に取られた葉が周囲へ飛散してしまう問題などが生じてしまう。
【００２９】
この点、前述した茎葉除去装置18により確実に植付枝豆１の上部の茎２や葉などを切断除去するから、常に植付枝豆１を枝豆もぎ取り装置４が良好に機能する状態にすることができ、枝豆もぎ取り装置４の機能を最大限に発揮させることができて良好な枝豆のもぎ取りが行なわれることになる。
【００３０】
また、茎葉除去装置18で予め切断除去することにより大量の葉が枝豆もぎ取り装置４へ導入されることがないから、この点においても枝豆もぎ取り装置４の取り残しを減らすことができ、しかも、茎２や葉を詰まりにくくすることができて枝豆もぎ取り装置４の故障が可及的に防止されることになり、また、機体５の走行移動の抵抗を低減することもでき、また、茎２や葉が周囲へ飛散するのも確実に抑制することができ、また、枝豆もぎ取り装置４でのもぎ取り作業後の仕分けも良好となる。
【実施例】
【００３１】
本発明の具体的な実施例について図面に基づいて説明する。
【００３２】
本実施例は、植えてある植付枝豆１の茎２から枝豆３をもぎ取る枝豆もぎ取り装置４を、植付枝豆１の植付地面に対して走行移動する機体５に設けた枝豆収穫機において、前記機体５をトラクタＡＴの側方に浮上状態に並設し、トラクタＡＴに設けた昇降装置51に前記機体５を連結し前記機体５を昇降自在に設けて、トラクタＡＴの運転席に設けた前記昇降装置51の操作部の操作により前記機体５をトラクタＡＴに対して昇降させて機体５の植付地面に対する高さを昇降調整し得るように構成したものである。
【００３３】
本実施例では、トラクタＡＴとして既存の各種機能を具備したトラクタＡＴを採用しており、このトラクタＡＴに具備せしめられる既存の駆動部52に機体５に設けられる連結部53を連結して昇降装置51は構成されている。尚、この駆動部52は、通常トラクタＡＴに装着されるロータリなどの作業装置の昇降作業等に利用される。
【００３４】
具体的には、昇降装置51は、図２〜５に図示したようにトラクタＡＴの運転席に設けられる操作部の操作によって伸縮動する駆動部52と、この駆動部52に連結され、該駆動部52の伸縮に伴い作動する連結部53とで構成されている。
【００３５】
この連結部53は、図２〜５に図示したように駆動部52の動力を機体５に伝達するリンク構造体であり、駆動部52に枢着連結される第一リンク部材53Ａと、この第一リンク部材53Ａに枢着連結される第二リンク部材53Ｂと、この第二リンク部材53Ｂに枢着され、機体５に枢着連結される第三リンク部材53Ｃとで構成されている。この第三リンク部材53Ｃは機体５をトラクタＡＴの側方に並設状態に配されるように構成されており、また、第三リンク部材53Ｃの一部はトラクタＡＴの車体に設けられるフレーム部54にも連結される。
【００３６】
従って、図２，３に図示したように駆動部52が縮み状態においては連結部53が降下して機体５は植付地面に近づいた下方位置に配されることになり、図４，５に図示したように駆動部52が伸び状態においては連結部53が上昇して機体５は地面から離れた上方位置に配されることになる。また、機体５はトラクタＡＴの走行によって走行移動することになる。
【００３７】
以下、枝豆もぎ取り装置４を具備した機体５の詳細な説明をする。
【００３８】
機体５は、図１，６に図示したように金属製のフレーム体32で構成され、このフレーム体の前方部位32Ａには、その上面及び左右側面を覆う透明部33ａ付きのボックス体33が配設され、このボックス体33の上面には開閉扉34が設けられている。
【００３９】
また、ボックス体33の正面となる部位には開口部33ｂが設けられ、この開口部33ｂは植付枝豆１を通過させることができる高さ及び巾を備えて植付枝豆１の植付枝豆導入部として構成されている。
【００４０】
この植付枝豆導入部33ｂには図示省略の閉塞体が設けられている。
【００４１】
この閉塞体は、適度な柔軟性を備えた一対のブラシ材で構成され、このブラシ材は、夫々植付枝豆導入部の対向する開口左右縁に互いに先端同志が当接するように前方部の内方へ向けて突設されている。
【００４２】
このブラシ材の柔軟性とは、後述する引き寄せ導入装置９に係る回動軸８Ａは勿論、植付枝豆１の通過を許容し、且つ、植付枝豆１が植付枝豆導入部33ｂを通過した際、植付枝豆１の形状に応じて形状変化をして植付枝豆１が挟まった状態にあっても植付枝豆導入部33ｂの閉塞状態を維持して植付枝豆１の通過を許容する程度の柔軟性に設定されている。
【００４３】
従って、この閉塞体により後述する枝豆もぎ取り装置４でもぎ取られた枝豆３が植付枝豆導入部33ｂから機体５の外部へ排出されるのが防止されることになる。尚、この閉塞体として、本実施例のように適度な柔軟性を備えたブラシ材を採用する他、例えばゴムなどの樹脂部材で構成するなど、本実施例の特性を発揮し得る材質のものであれば適宜採用し得るものである。
【００４４】
また、機体５の前方部32Ａには枝豆もぎ取り装置４が設けられている。
【００４５】
具体的には、この枝豆もぎ取り装置４は、図６，７に図示したように植付枝豆１の茎２を挟んで対向し得るように回転部６を対向配設し、この回転部６を回転させた機体５を走行移動させて植付枝豆１を回転部６間に導入することで、回転部６のもぎ取り部７によるしごき（打撃若しくは振り払い）によって枝豆３を茎２からもぎ取るように構成されている。
【００４６】
この左右の回転部６は、夫々回転軸６Ａの対向位置に放射状にして螺旋状に柔軟板材から成るもぎ取り部７を突設して構成されている。尚、回転部６の回転方向と螺旋状のもぎ取り部７の螺旋方向とは植付枝豆１を良好に引き寄せる条件となるよう適宜設計するものである。
【００４７】
また、この回転部６は、夫々前方部32Ａ内に回転軸６Ａが植付枝豆１の植付方向が軸方向となるように配される共に、互いに所定の間隔を介した状態で前進方向に対して後方側を高くして斜設され（対向する前記回転部６の回転軸６Ａは植付枝豆導入口側から後方に向かって夫々登り傾斜状態に配設され）、前述したトラクタＡＴのエンジンの動力を介して回転自在に設けられている。
【００４８】
具体的には、図８に図示したようにトラクタＡＴのエンジンの作動により回動する駆動軸部55をトラクタＡＴの車体の後方に配し、この駆動軸部55からギアやチェーンやプーリーやベルトなどの駆動伝達機構を介して各種装置へ分岐しており、前述した枝豆もぎ取り装置４（回転部６）はボックス56に収納される伝達機構Ａ（詳細図示省略）により作動するように構成されている。尚、この回転部６を回転させる駆動源として電動モータを採用しても良い。
【００４９】
また、この左右の回転部６は、先端部が幅広で奥部へ行く程幅狭となる（正面視ハ字状となる）ように配されている。
【００５０】
以上の構成からなる回転部６における枝豆３のもぎ取り処理工程について説明すると、回転させた回転部６間に植付枝豆１を通過させると、２本の回転部６夫々のもぎ取り部７の先端同志が枝豆３を上方にしごき上げるようにして（打撃若しくは振り払いして）、植付枝豆１の根本側から上端側へと茎２から枝豆３をもぎ取るもぎ取り処理が行われることになる。
【００５１】
また、機体５の前方部32Ａ正面位置にして枝豆もぎ取り装置４の対向回転部６間の植付枝豆導入口側には、この対向回転部６間に導入される若しくは導入された植付枝豆１をこの導入方向に引き寄せる引き寄せ力を付与する引き寄せ回転部８から成る引き寄せ導入装置９が設けられている。
【００５２】
この引き寄せ導入部９は、機体５の正面に、先端部が幅広で奥部へ行く程幅狭となって奥部に配設した枝豆もぎ取り装置４の回転部６間への植付枝豆１の導入をガイドするガイド部11を、植付枝豆１の植付方向に沿って植付枝豆１を境にした左右に対設して構成されている。
【００５３】
具体的には、このガイド部11は、図７に図示したように先端部から前記枝豆もぎ取り装置４の回転部６に向かう方向を軸方向とし、トラクタＡＴのエンジンの作動（伝達機構Ａ）により回転する回転軸８Ａに引き寄せ部10を突設して成る引き寄せ回転部８を対設して構成されており、この引き寄せ部10は回転軸８Ａに螺旋状に突出した構成とし、この回転軸８Ａを回転させることでこの螺旋状の引き寄せ部10により植付枝豆１を導入方向である後方に押圧付勢して引き寄せ力を生じせしめて、少なくとも回転部６間に植付枝豆１を導入した際若しくは導入後前記枝豆３のもぎ取りを開始する際に生じる植付枝豆１の導入反対方向に生じる逃げ力に抗するように引き寄せ導入装置９を構成している。尚、この引き寄せ回転部８を回転させる駆動源として電動モータを採用しても良い。
【００５４】
また、引き寄せ回転部８は、図６に図示したように引き寄せ回転部８の回転軸８Ａを枝豆もぎ取り装置４の回転部６の前方であって、先端部から後方の回転部６に向かう方向に登り傾斜状態に構成して、引き寄せ回転部８の引き寄せ部10による植付枝豆１への引き寄せ力が導入方向の水平後方でなく導入方向の後方斜め上方となるように構成されている。
【００５５】
また、この引き寄せ回転部８は、先端部が幅広で奥部へ行く程幅狭となる（正面視ハ字状となる）ように配されている。
【００５６】
また、引き寄せ導入装置９の引き寄せ回転部８は、回転部６の上方に配設されるように構成されている。
【００５７】
具体的には、対向する回転部６の回転軸６Ａは導入口側から後方に向かって夫々登り傾斜状態に配設して植付枝豆１の根本側から上端側へとその枝豆３をもぎ取るように構成し、引き寄せ回転部８は先端側から後方の回転部６側に向かって登り傾斜するように構成し、この後端部は回転部６間の導入口部と近接又は回転部６間の植付枝豆導入口部の上方でやや重合するように配設している。また、図６に図示したように回転軸８Ａの後端部にして引き寄せ部10が突設されていない部位においても回転部６の上方に配される構成とし、当該部位もガイド機能を発揮するように構成されている。尚、引き寄せ回転部８の後端部は回転部６間の導入口部の上方において必要以上に重合させる必要はなく、上方で一致するようにしても良いなど適宜設計変更し得るものである。
【００５８】
以上の構成からなる引き寄せ導入装置９における植付枝豆１の引き寄せについて説明すると、回動させた回転部６間に植付枝豆１を通過させると、回転する引き寄せ回転部８の引き寄せ部10で植付枝豆１を回転部６間への導入方向へ押圧若しくは打撃し引き寄せ力を生じせしめて、当該回転部６間へ植付枝豆１を導入することになる。
【００５９】
従って、常に植付枝豆１を枝豆もぎ取り装置４が良好に機能する状態にすることができるから、枝豆もぎ取り装置４の機能を最大限に発揮させることができて良好な枝豆のもぎ取りが行なわれることになる。
【００６０】
また、本実施例は、この引き寄せ導入装置９で植付枝豆１を引き寄せることで、機体５の走行移動に対する抵抗が減少することになり、よって、この引き寄せ導入装置９がトラクタＡＴ（機体５）の走行を助力することにもなる。
【００６１】
また、本実施例は、引き寄せ回転部８の引き寄せ部10による植付枝豆１への引き寄せ力が導入方向の水平後方でなく導入方向の後方斜め上方となるように構成したから、種々の高さ位置にある植付枝豆１を起こしつつ確実に枝豆もぎ取り装置４へ導入することができる。
【００６２】
また、本実施例は、先端部から枝豆もぎ取り装置４の回転部６に向かう方向を軸方向とする回転軸８Ａに引き寄せ部10を突設して引き寄せ回転部８を構成し、この引き寄せ部10は回転軸８Ａに螺旋状に突出した構成とし、この回転軸８Ａを回転させることでこの螺旋状の引き寄せ部10により植付枝豆１を導入方向である後方に押圧付勢するように構成したから、植付枝豆１を叩き起こすような強引に引き寄せるのではない為、植付枝豆１が傷つくのを可及的に防止しつつ円滑且つ確実に枝豆もぎ取り装置４へ導入することができる。
【００６３】
また、本実施例は、引き寄せ回転部８の回転軸８Ａを枝豆もぎ取り装置４の回転部６の前方であって、先端部から後方の回転部６に向かう方向に登り傾斜状態に構成して、引き寄せ回転部８の引き寄せ部10による植付枝豆１への引き寄せ力が導入方向の水平後方でなく導入方向の後方斜め上方となるように構成した場合には、例えば広がったり倒れたりしている茎２や枝を束ねるように植付枝豆１を起こしつつ確実に枝豆もぎ取り装置４へ導入することができる。
【００６４】
また、本実施例は、機体５に、先端部が幅広で奥部へ行く程幅狭となって奥部に配設した枝豆もぎ取り装置４の回転部６間への植付枝豆１の導入をガイドするガイド部11を、植付枝豆１の植付方向に沿って植付枝豆１を境にした左右に対設したから、例えば進行方向に対して左右に広がる植付枝豆１を束ねるようにして確実に枝豆もぎ取り装置４へ導入することができ、しかも、この左右に対設されるガイド部11によって植付枝豆１をセンター出しが行なわれた状態で確実に枝豆もぎ取り装置４へ導入することができる。
【００６５】
また、本実施例は、先端部から枝豆もぎ取り装置４の回転部６に向かう方向に長さを有する引き寄せ回転部８を対設してこの引き寄せ回転部８をガイド部11としたから、このガイド部11として枝豆もぎ取り装置４における回転構造と同様の回転構造を採用することで、より一層確実且つ良好に植付枝豆１を枝豆もぎ取り装置４へ導入することができる。
【００６６】
また、本実施例は、少なくとも回転部６間の植付枝豆導入口部は植付枝豆１になる枝豆３よりも下方に位置するように構成し、この回転部６の上方に引き寄せ導入装置９の引き寄せ回転部８を配設した場合には、確実に植付枝豆１の下方から上方までなる枝豆３を引き寄せ導入装置９によって引き寄せつつ枝豆もぎ取り装置４へ導入することができる。
【００６７】
また、本実施例は、対向する回転部６の回転軸６Ａは導入口側から後方に向かって夫々登り傾斜状態に配設して前記植付枝豆１の根本側から上端側へとその枝豆３をもぎ取るように構成し、引き寄せ回転部８は先端側から後方の回転部６側に向かって登り傾斜するように構成し、この後端部は回転部６間の導入口部と近接又は回転部６間の導入口部の上方でやや重合するように配設したから、引き寄せ回転部８は植付枝豆１が回転部６間に導入されるまで確実にガイドすることになり、よって、より一層確実且つ良好に植付枝豆１を枝豆もぎ取り装置４へ導入することができることになり、しかも、植付枝豆１の下方から上方までなる枝豆３を回転部６の間へ導入して確実にもぎ取ることができる。
【００６８】
また、本実施例は、機体５（前方部32Ａ）の正面下部左右位置にして前記枝豆もぎ取り装置４に対して水平若しくは下方となる位置に植付地面31ａを滑走する一対の滑走部12を設けている。
【００６９】
この各滑走部12は、その先端部に畝31上部の植付地面31ａを削り取る削り縁13を設けると共にこの削り取った土を夫々側部外方へ誘導する土誘導壁14を立設して、機体５を走行移動させると植付地面31ａの植付枝豆１左右の土が削り取られて左右外方へ押し分けられる土除去用滑走装置15を設け、更に、この土除去用滑走装置15の滑走部12間の削り縁13によっては削りとられない植付枝豆１の根本間近の地面を振り払い除去する振り払い移動部16から成る土除去用振り払い装置17を枝豆もぎ取り装置４の前方に設けている。
【００７０】
土除去用滑走装置15は、滑走板を滑走部12とし、この滑走板の先端縁を前記削り縁13とし、この削り縁13によって削りとられて滑走板上に乗り上がる土が当接する立ち上がり部を滑走板に形成して土誘導壁部14とし、少なくともこの土誘導壁部14の上方から見た形成方向を後方に行く程外側へ位置するように形成することで、機体５を走行移動させると前記植付地面の植付枝豆１左右の土が削り取られて左右外方へ押し分けられるように構成されている。
【００７１】
更に具体的には、土除去用滑走装置15は、図７に図示したようにＬ形アングル材（正面方向から見て外方へ屈曲状）の先端縁を削り縁13とし、底板部を滑走部12とし内側の立ち上がり部を土誘導壁部14とし、このＬ形アングル材を機体５の先端部左右にハ字状に配設して、この滑走部12間に植付枝豆１が通過するように機体５を走行移動させると、植付地面の植付枝豆１左右の土が削り取られて左右外方へ押し分けられるように構成されている。
【００７２】
また、滑走部12は、その後方部位に後述する土除去用振り払い装置16に係る振り払い移動部16により払われた土を排出する排出孔部（図示省略）が切り欠き状に設けられている。
【００７３】
土除去用振り払い装置17は、振り払い移動部16を植付枝豆１を挟んだ左右位置に夫々設けて構成されている。
【００７４】
この振り払い移動部16は、図１，３，５に図示したように下端縁が植付枝豆１の側方の植付地面31ａに接地する回転板16ＡをトラクタＡＴのエンジンの作動（伝達機構Ａ）により回動する回動軸39の下端部に設けて回転移動自在に設けて構成されている。尚、この回動軸39を回動させる駆動源として電動モータを採用しても良い。
【００７５】
また、振り払い移動部16は、回転板16Ａの長さを機体５の走行により土除去用滑走装置15の滑走部12間を通過する植付枝豆１に当接する長さに設定されており、振り払い移動部16の長さを振り払い移動時に、機体５の走行移動により土除去用滑走装置15の滑走部12間を通過する植付枝豆１に当接する長さに設定している。尚、振り払い移動部16は植付枝豆１に近接する長さに設定しても良い。
【００７６】
また、振り払い移動部16に係る回転板16Ａは適度な柔軟性を有する部材（合成樹脂部材）で構成されており、よって、振り払い移動部16は屈曲自在であり、該振り払い移動部16が植付枝豆１に当接しても屈曲することで植付枝豆１を倒伏しないように構成されている。
【００７７】
以上の構成からなる滑走部12における機能に説明すると、土除去用滑走装置15は、機体５を走行移動させると植付地面31ａの植付枝豆１左右の土を削りつつ左右外方へ押し分けて除去し、土除去用滑走装置15の滑走部12間の削り縁13によっては削りとられない植付枝豆１の根本間近の地面を土除去用振り払い装置17で振り払い除去することになる。この際、機体５に設けた枝豆もぎ取り装置４を、除去した土分だけ低い位置で植付枝豆１に対して走行移動し得ることになる。
【００７８】
従って、土除去用滑走装置15及び土除去用振り払い装置17により、確実に植付地面の植付枝豆１左右の土が削り取られて左右外方へ押し分けるとともに、この土除去用滑走装置15の滑走部12間の削り縁13によっては削りとられない植付枝豆１の根本間近の地面が振り払い除去されることになるから、枝豆もぎ取り装置４をどの低い位置で植付枝豆１に対して走行移動させても常に枝豆もぎ取り装置４が通過する位置は土除去用滑走装置15及び土除去用振り払い装置17により土が除去されることになり、枝豆もぎ取り装置４で植付地面の土を拾ってしまうようなことはなく、よって、この構成から、植付枝豆１の低い位置（植付地面に近い位置）になる枝豆３を確実且つ良好にもぎ取ることができることになる。
【００７９】
また、本実施例は、機体５の先端部左右に植付地面を滑走する滑走部12を設けることにより機体５の走行移動が安定することになり、しかも、この滑走部12に土除去用滑走装置15及び土除去用振り払い装置17を設けることにより、常に機体５を水平な状態で走行移動させることができることになるから、地面の状態によって機体５が斜めを向いたりすることがなく、常に枝豆もぎ取り装置４が良好に機能する状態が得られることになる（枝豆もぎ取り装置４は、機体５が水平状態の際、枝豆３が良好にもぎ取られるように設計される。）。
【００８０】
また、本実施例は、滑走板を滑走部12とし、この滑走板の先端縁を削り縁13とし、この削り縁13によって削りとられて滑走板上に乗り上がる土が当接する立ち上がり部を滑走板に形成して土誘導壁部14とし、少なくともこの土誘導壁部14の上方から見た形成方向を後方に行く程外側へ位置するように形成することで、機体５を走行移動させると植付地面の植付枝豆１左右の土が削り取られて左右外方へ押し分けられるように土除去用滑走装置15を構成したから、確実に植付地面の植付枝豆１左右の土を削り取って左右外方へ押し分けることができ、しかも、極めて簡易構造であるからコスト安にして量産性に秀れることになる。
【００８１】
また、本実施例は、下端縁が植付地面に接地する回転板16Ａを植付枝豆１の側方で回転移動自在に設けて振り払い移動部16を構成し、回転板16Ａの長さを機体５の走行により土除去用滑走装置15の滑走部12間を通過する植付枝豆１に当接する長さに設定したから、より一層植付枝豆１の根元間近の地面を振り払い除去することができることになる。
【００８２】
また、本実施例は、振り払い移動部16の長さを振り払い移動時に、機体５の走行移動により土除去用滑走装置15の滑走部12間を通過する植付枝豆１に当接する長さに設定し、この振り払い移動部16を屈曲自在に設けてこの振り払い移動部16が植付枝豆１に当接しても屈曲することで植付枝豆１を倒伏しないように土除去用振り払い装置17を構成したから、植付枝豆１が枝豆もぎ取り装置４に導入する前に植付枝豆１（茎２）を折ったり傷付けてしまうようなことはなく、よって、枝豆もぎ取り装置４へ最良の状態で植付枝豆１を導入することができることになる。
【００８３】
また、本実施例は、振り払い移動部16を植付枝豆１を挟んだ左右位置に夫々設けて土除去用振り払い装置17を構成したから、少なくとも植付枝豆１の根元間近の左右の土を確実に除去することができることになる。
【００８４】
また、機体５の前方部３Ａの先端側下部には、茎１を浮かせないようにし、茎１から枝豆２を良好にもぎ取る為のソリ状の接地板（図示省略）が左右に並設されている。この接地板の間は植付枝豆１の茎２を通過させる茎導入間隙に設定されている。
【００８５】
この接地板の後端は少なくともに枝豆もぎ取り装置４に係る回転部６の先端位置より後方に位置させることが望ましい。これは、枝豆３が回転部６間でしごき上げられ該枝豆３がもぎ取られる初期段階において茎２が地面から引き抜かれようとする力が最も働き、よって、これを防止する為、接地板の後端は少なくとも枝豆もぎ取り装置４に係る回転部６の先端位置より後方に位置にする必要がある為である。
【００８６】
尚、接地板の内側に挟持板を立設して茎２を挟持するように構成しても良いし、挟持板の代わりに左右に挟持無端ベルトを対設し、この対向するベルト間で挟持する構成を採用しても良い。
【００８７】
また、機体５には、茎葉除去装置18が設けられている。
【００８８】
この茎葉除去装置18は、図１，６，７に図示したように植付枝豆１の上部の茎２を切断除去するように枝豆もぎ取り装置４の前方に設けて、機体５を走行移動させて枝豆もぎ取り装置４により植付枝豆１の茎２から枝豆３をもぎ取る前に植付枝豆１の上部の茎２を切断除去するように構成されている。
【００８９】
具体的には、この茎葉除去装置18は、機体５に係る前方部32Ａの正面下部中央位置に設けた植付枝豆１の上部が導入されるケース体から成る導入部20に切断用回転部19を前述したトラクタＡＴのエンジンの作動（伝達機構Ａ）により回転自在に配設して構成されており、機体５の走行移動により接近する植付枝豆１の上部の茎２を切断除去する切断用回転部19により構成している。尚、この切断用回転部19を回転させる駆動源として電動モータを採用しても良い。
【００９０】
また、導入部20の側方部には、排出開口部を設けて切断用回転部19の回転によって切断除去した植付枝豆１の茎２及び葉を外方へ導出する茎葉導出部21が設けられており、この茎葉導出部21からは切断用回転部19の回転によって切断除去した植付枝豆１の茎２及び葉を機体５の進行方向と直交する方向に排出することになる。
【００９１】
以上の構成からなる茎葉除去装置18における機能に説明すると、機体５を走行移動させた際、枝豆もぎ取り装置４により植付枝豆１の茎２から枝豆３をもぎ取る前に茎葉除去装置18により植付枝豆１の上部の茎や葉などは切断除去され、植付枝豆１は所定の高さとなる。
【００９２】
従って、前述した茎葉除去装置18により確実に植付枝豆１の上部の茎２や葉を切除除去するから、常に植付枝豆１を枝豆もぎ取り装置４が良好に機能する状態にすることができ、枝豆もぎ取り装置４の機能を最大限に発揮させることができて良好な枝豆のもぎ取りが行なわれることになる。
【００９３】
また、本実施例は、茎葉除去装置18で予め切断除去することにより大量の葉が枝豆もぎ取り装置４へ導入されることがないから、この点においても枝豆もぎ取り装置４の取り残しを減らすことができ、しかも、茎２や葉を詰まりにくくすることができて枝豆もぎ取り装置４の故障が可及的に防止されることになり、また、機体５の走行移動の抵抗を低減することもでき、また、茎２や葉が周囲へ飛散するのも確実に抑制することができ、また、枝豆もぎ取り装置４でのもぎ取り作業後の仕分けも良好となる。
【００９４】
また、本実施例は、茎葉除去装置18は、機体５の走行移動により接近する植付枝豆１の上部の茎２や葉を切断除去する切断用回転部19により構成したから、機体５を走行移動させながら確実に植付枝豆１の上部の茎を切断除去することができることになる。
【００９５】
また、本実施例は、機体５の走行移動により植付枝豆１の上部が導入される導入部20に切断用回転部19を回転自在に配設したから、植付枝豆１を導入部20内に順次導入させて切断用回転部19により確実に切断除去することができる。
【００９６】
また、本実施例は、導入部20に切断用回転部19の回転によって切断除去した植付枝豆１の茎及び葉を外方へ導出する茎葉導出部21を設けたから、切断除去した茎及び葉を決められた位置から排出してコントロールすることができ、周囲への飛散等を確実に抑制することができる。
【００９７】
また、機体５には搬送体40が設けられている。
【００９８】
この搬送体40は、前述したトラクタＡＴのエンジン（伝達機構Ａ）の作動により回動する一対の回動軸40ａと、この回動軸40ａ間に架設される一対の搬送ベルト40ｂとで構成されており、機体５に係る前方部32Ａ内にして枝豆もぎ取り装置４に係る回転部６の後方（下方）位置に平行状態となるように斜設されている。従って、この搬送体40に受けられた枝豆３は後方部32Ｂ側へ搬送されることになる。尚、この回動軸40ａを回動させる駆動源として電動モータを採用しても良い。
【００９９】
また、搬送体40は、その先端側（下端側）中央部位に間隙（通過部）が形成されている。
【０１００】
この通過部は、前述した接地板と同様に枝豆がもぎ取られた植付枝豆１を搬送体40の後方へ移動可能にする為のものである。
【０１０１】
更に具体的に説明すると、この通過部は、回転部６間の下方位置（後方位置）にして搬送体40の中央位置に設けられているが、これは、本実施例は、搬送体40を回転部６の後方に設けることで、該回転部６から落下する枝豆３を確実に受けることができる構成とした為、当該搬送体40の位置に植付枝豆１を通過させる必要があるからである。
【０１０２】
また、通過部には、もぎ取られた枝豆３が通過するのを阻止する図示省略の閉塞体が設けられている。
【０１０３】
この閉塞体は、植付枝豆１の通過を許容し得る程度の適度な柔軟性を備えた一対のブラシ材から成り、この一対のブラシ材を通過部の開口左右縁に互いに内方へ向けて対向状態に突設して構成されている。従って、閉塞体は、植付枝豆１が回転部間を通過させた際、茎の形状に応じて形状変化することで植付枝豆１のみの通過を許容することになり、よって、植付枝豆１が通過部を通過中であっても、回転部６でもぎ取られた枝豆３が植付枝豆１の通過部から機体５の外部へ排出されるのが可及的に防止されることになる。つまり、仮に、閉塞体が硬質のもので構成された場合、この閉塞体を通過する植付枝豆１が挟まってつっかえ棒のような状態となり、当該閉塞体を構成する部材間に隙間が生じてしまい、よって、この隙間から枝豆３が機体５の外部へ排出されることになってしまうが、この点、本実施例の構成であればそのような問題が生じることはない。尚、この閉塞体としては、本実施例のように適度な柔軟性を備えたブラシ材を採用する他、例えばゴムなどの樹脂部材で構成するなど、本実施例の特性を発揮し得る材質のものであれば適宜採用し得るものである。また、この閉塞体と同素材のものが前記茎導入部にも設けられている。
【０１０４】
以上の構成から、機体５の前方部32Ａは略全面を閉塞されたケース状に構成され、よって、枝豆もぎ取り装置４に係る回転部６でもぎ取られた枝豆３が機体５の外部へ排出（落下）することは可及的に防止されることになる。
【０１０５】
また、機体５の後方部32Ｂにして搬送体40の終端位置近傍には仕分け体41が設けられている。
【０１０６】
この仕分け体41は、図６に図示したように複数の円柱状の軸体41ａを回動自在に並設したものであり、この回転軸体41ａ同志は所定の間隔を介した位置に配設され、この間隙は、万一枝豆もぎ取り装置４に係る回転部６の作用により地面から抜けたり或いは折れたりした植付枝豆１が搬送体40で搬送された場合、該植付枝豆１をこの仕分け体41を介して間隙の下方に設置されるコンベア44に落下させず、該仕分け体41の後方へ送り出すようにする為のものである。
【０１０７】
また、コンベア44は、図９に図示したように機体５の後方部32Ｂにして仕分け体41の下方位置に設けられており、前述したトラクタＡＴのエンジンの作動により発電する発電装置45の電気を利用して作動するモーターによって作動するように構成されている。尚、この発電装置45を利用して種々の装置の発展性が期待できる。
【０１０８】
また、このコンベア44の終端下方位置には収穫箱42が配設されている。
【０１０９】
また、機体５の後方部32Ｂにしてコンベア44の終端の上方位置に送風装置43（ブロアー）が設けられている。
【０１１０】
この送風装置43は、前述したトラクタＡＴのエンジンの作動により回転する回転羽根43ａを設け、コンベア44の終端に上方から後方向へ向けて所定の風圧で風が吹き上がるように構成されており、この風圧とは、この風に吹き飛ばされる重量の軽い葉屑やゴミなどは間隙を通過させることなく上記植付枝豆１と同様に機体５の後方（外部）へ排出させ、一方、この風に吹き飛ばされない比較的重量の重い枝豆３は収穫箱42内に落下するように構成されている。尚、この回転羽根43ａを回転させる駆動源として電動モータを採用しても良い。
【０１１１】
従って、コンベア44で搬送される枝豆３だけが収穫箱42内へ落下して、それ以外の葉屑や植付枝豆１などと確実に選別されることになる。
【０１１２】
以下、本実施例に係る枝豆収穫機を使用した枝豆の収穫方法について説明する。
【０１１３】
まず、トラクタＡＴを畑の畝31を跨がせた状態で機体５を畝31の上方を走行移動させ、枝豆もぎ取り装置４に係る回転部６を回転させながら前進させると、引き寄せ導入装置９により植付枝豆１は引き寄せられると共に、左右の接地板間に植付枝豆１は導入され、そのまま機体５を前進させると、一対の回転部６は機体５の前進に伴ってその植付枝豆１へのもぎ取り位置が次第に高い位置となり植付枝豆１から枝豆３が全てもぎ取られることになる。この際、土除去用滑走装置15及び土除去用振り払い装置17により畝31の邪魔な土は除去されると共に、茎葉除去装置18により植付枝豆１の上方の茎や葉は除去される。
【０１１４】
続いて、もぎ取られた枝豆３や一部の葉屑などは搬送体40により上方へ送られ、適宜選別されて枝豆３のみが収穫箱42へ集められることになる。
【０１１５】
本実施例は上述のように構成したから、枝豆もぎ取り装置の機能を最大限に発揮させて枝豆のもぎ取り作業がより一層良好に行なわれることになる。
【０１１６】
尚、本発明は、本実施例に限られるものではなく、各構成要件の具体的構成は適宜設計し得るものである。
【図面の簡単な説明】
【０１１７】
【図１】本実施例を示す斜視図である。
【図２】本実施例に係る要部の説明斜視図である。
【図３】本実施例の動作説明図である。
【図４】本実施例に係る要部の説明斜視図である。
【図５】本実施例の動作説明図である。
【図６】本実施例の使用状態説明図である。
【図７】本実施例に係る要部の説明図である。
【図８】本実施例に係る要部の説明斜視図である。
【図９】本実施例に係る要部の説明斜視図である。
【符号の説明】
【０１１８】
AT  トラクタ
１  植付枝豆
２  茎
３  枝豆
４  枝豆もぎ取り装置
５  機体
６  回転部
７  もぎ取り部
12  滑走部
13  削り縁
14  土誘導壁部
15  土除去用滑走装置
16  振り払い移動部
17  土除去用振り払い装置
18  茎葉除去装置
51  昇降装置
【図１】
2006254719.tif 000003
【図２】
2006254719.tif 000004
【図３】
2006254719.tif 000005
【図４】
2006254719.tif 000006
【図５】
2006254719.tif 000007
【図６】
2006254719.tif 000008
【図７】
2006254719.tif 000009
【図８】
2006254719.tif 000010
【図９】
2006254719.tif 000011